(57)【要約】【課題】大幅なコストアップをすることなく、大幅な利便性の向上を図る。【解決手段】洗面台２の上部に備え付けられ、主鏡４と該主鏡４の両端部に隣接して配される袖鏡５，６とを有して構成される三面鏡１において、前記主鏡４をスライド手段１３によって前後方向にスライド可能にする。前記袖鏡５，６もスライド手段１４によってスライド可能にする。前記スライド手段１３，１４は、スライドレールを用いて構成するとよい。また、前記スライド手段１３の自動操作を可能にする電気的駆動手段を備えてもよい。【選択図】図１
2005137620.tif 000002
【特許請求の範囲】
【請求項１】
洗面台の上部に備え付けられ、主鏡と該主鏡の両端部に隣接して配される袖鏡とを有して構成される三面鏡において、
前記主鏡は、スライド手段によって前後方向にスライド可能であることを特徴とする三面鏡。
【請求項２】
前記袖鏡も、スライド手段によって前後方向にスライド可能であることを特徴とする請求項１記載の三面鏡。
【請求項３】
前記スライド手段は、スライドレールを用いて構成されることを特徴とする請求項１又は２記載の三面鏡。
【請求項４】
前記スライド手段の自動操作を可能にする電気的駆動手段を備えることを特徴とする請求項１〜３のいずれか１つに記載の三面鏡。
【請求項５】
前記電気的駆動手段は、利用者により操作可能なスイッチ、電気によって駆動されるモータ、前記スイッチの操作に応じて前記モータへの電気供給状態を変化させる制御部、前記モータによって回転される歯車、前記歯車と噛合するラックにより構成されることを特徴とする請求項４記載の三面鏡。
【請求項６】
前記電気的駆動手段は、利用者により操作可能なスイッチ、電気によって駆動されるモータ、前記スイッチの操作に応じて前記モータへの電気供給状態を変化させる制御部、前記モータによって回転される螺旋棒、前記螺旋棒と螺合し所定位置に固定されるナットにより構成されることを特徴とする請求項４記載の三面鏡。
【発明の詳細な説明】
【技術分野】
【０００１】
本発明は、洗面所等において利用される三面鏡に関するものである。
【背景技術】
【０００２】
同種の技術分野に関する従来例としては、次のようなものがある。第1の従来例は、主鏡と隣接すると共に主鏡側の端縁を回転中心として回動可能な袖鏡とを有する化粧鏡において、前記袖鏡の裏側に、袖鏡の開放端部を回転中心として回動可能な内袖鏡を取り付けたものであり、これにより袖鏡を回動させて開き、その袖鏡の裏側に取り付けてある内袖鏡を回動させて主鏡と平行にすれば、内袖鏡が近づくので、かがまなくとも顔を見ることが出来るとされるものである（特許文献１参照）。
【０００３】
また、第２の従来例は、洗面化粧台と、洗面化粧台に隣接させて平面視でＬ型に配置される収納キャビネットと、収納キャビネットの前面に設けられ収納キャビネットの端部から端部まで移動可能なスライド鏡とを有するものであり、これにより洗面化粧台で使用する小物を手の届く範囲に収納でき、体を横に向けることによって顔や上半身を近くで見ることができるとされるものである（特許文献２参照）。
【０００４】
また、第３の従来例は、前面部の室内側に配設された窓ガラスと、窓ガラスの前面の室内側に配設された鏡と、鏡を上下にスライドさせ且つ洗面台の後部に鏡を収納するスライド機構とを有するものであり、これにより容易に採光及び通風を得ることが可能であるとされるものである（特許文献３参照）。
【特許文献１】特開２０００−７００９２号公報
【特許文献２】特開平１１−１９２１７３号公報
【特許文献３】特開平８−１５１８６２号公報
【発明の開示】
【発明が解決しようとする課題】
【０００５】
しかしながら、上記第１の実施例は、袖鏡を主鏡に対して直角にすると共に内袖鏡を主鏡に対して平行にすることにより、内袖鏡を袖鏡の分だけ自分に近づけることができるものであるが、自分に近づけることができるのは面積の小さい内袖鏡だけであると共に、この内袖鏡も自分の正面にもってくることはできず、また新たに２枚の内袖鏡を用意しなければならないと共に、蝶番等の構造も複雑となるため、使い勝手やコストの面において、改良の余地が残されているものである。
【０００６】
そこで、本発明は、大幅なコストアップをすることなく、大幅な利便性の向上を図ることを課題とするものである。
【課題を解決するための手段】
【０００７】
上記課題を解決するために、本発明は、洗面台の上部に備え付けられ、主鏡と該主鏡の両端部に隣接して配される袖鏡とを有して構成される三面鏡において、前記主鏡は、スライド手段によって前後方向にスライド可能であることを特徴とするものである（請求項１）。また、前記袖鏡も、スライド手段によって前後方向にスライド可能としてもよい（請求項２）。
【０００８】
また、前記スライド手段は、スライドレールを用いて構成することができる（請求項３）。
【０００９】
また、前記スライド手段の自動操作を可能にする電気的駆動手段を備えてもよい（請求項４）。この電気的駆動手段は、利用者により操作可能なスイッチ、電気によって駆動されるモータ、前記スイッチの操作に応じて前記モータへの電気供給状態を変化させる制御部、前記モータによって回転される歯車、前記歯車と噛合するラックにより構成することができる（請求項５）。また、前記電気的駆動手段は、利用者により操作可能なスイッチ、電気によって駆動されるモータ、前記スイッチの操作に応じて前記モータへの電気供給状態を変化させる制御部、前記モータによって回転される螺旋棒、前記螺旋棒と螺合し所定位置に固定されるナットにより構成することができる（請求項６）。
【発明の効果】
【００１０】
上記請求項１及び２記載の構成によれば、利用者の所望する時に、任意の鏡（主鏡及び袖鏡）を手前にスライドさせることによって、これを自分に近づけることができる。これにより、メイクや整髪等をする際に、かつてのように洗面台に覆いかぶさるようにして前かがみになる必要がなくなる。また、本構成によれば、中央に配置され最も面積の大きい主鏡を自分に近づけることができるので、利便性に優れたものとなる。
【００１１】
また、上記請求項２記載の構成のように、スライド手段として、公知のスライドレールを用いることにより、簡素な構造及び低コストにて本発明を実現させることができる。また、上記請求項３記載の構成を加えることにより、更なる利便性の向上を図ることができる。
【発明を実施するための最良の形態】
【００１２】
以下、添付した図面を参考にして本発明の実施例を説明する。
【実施例１】
【００１３】
図１及び図２に示す本実施例に係る三面鏡１は、洗面台２、キャビネット部３、主鏡４、袖鏡５，６、枠体１０，１１，１２、スライドレール１３，１４を有して構成されている。
【００１４】
前記洗面台２は、手前側に張り出しており、シンク、蛇口等が設けられている。前記キャビネット部３は、その内部が中空状に形成され、ものが収納できるように棚等が設けられ、その前面部が開口している。前記主鏡４は、前記洗面台２の上部で且つ前記キャビネット部３の前面部の略中央に配され、また図２に示すように、その一端部において蝶番等の可動固定具により枠体１０に固定され、この固定部を回転軸として略直角の位置まで開閉可能になされている。前記袖鏡５，６は、前記主鏡４の両側部に隣接して配され、図２に示すように、それぞれの前記主鏡４側の端部において蝶番等により枠体１１，１２に固定され、この固定部を回転軸として略直角の位置まで開閉可能になされている。前記枠体１０，１１，１２は、前記主鏡４及び前記袖鏡５，６のそれぞれの外縁に当接する形状となっている。
【００１５】
前記スライドレール１３，１４は、複数の大きさの異なる断面略コ字状、筒状等の棒状部材が順次内設され、これら棒状部材間にベアリングやローラが配されて構成され、伸縮自在の機能を有する公知のものである。スライドレール１３は、本構成においては４本存在し、これらは前記主鏡４を前後にスライド可能にするものであり、その一端側が前記枠体１１の内側の四隅に固定され、他端側が前記キャビネット部３内に固定されている。また、スライドレール１４も４本存在し、これらは図中左側の袖鏡５を前後にスライド可能にするものであり、その一端側が前記枠体１１の内側の四隅に固定され、他端側が前記キャビネット部３内に固定されている。また、図１及び図２においては、図中右側の袖鏡６がキャビネット部３に当接した状態を示しているため、スライドレールが図示されていないが、この袖鏡６においても、上記スライドレール１４と同様のスライドレールが配設されており、前後にスライド可能になされている。
【００１６】
上記本実施例の構成によれば、利用者の所望する時に、任意の鏡、特に主鏡４を手前にスライドさせることによって、これを自分に近づけることができる。これにより、メイクや整髪等をする際に、かつてのように洗面台２に覆いかぶさるようにして前かがみになる必要がなくなる。また、本構成によれば、中央に配置され最も面積の大きい主鏡４を自分に近づけることができるので、利便性に優れたものとなる。また、スライド手段として、スライドレール１３，１４を用いることにより、簡素な構造及び低コストにて本発明を実現させることができる。
【実施例２】
【００１７】
図３に示すのは、前記スライドレール１３の自動操作を可能にする電気的駆動手段１８を備えた例である。この電気的駆動手段１８は、利用者により操作可能なスイッチ２０、電気によって駆動されるモータ２１、前記スイッチ２０の操作に応じて前記モータ２１への電気供給状態を変化させる制御部２２、前記モータ２１の駆動状態により所定方向に回転する歯車２３、スライドレール１３の一部に形成され前記歯車２３と噛み合うラック２４を有して構成されている。
【００１８】
上記電気的駆動手段１８により、主鏡４（同様の構成により袖鏡５，６）を自動でスライドさせることができるので、上記実施例１の構成よりも更に利便性が向上したものとなる。
【００１９】
また、電気的駆動手段は、上記構成に限定されるものではなく、主鏡４（袖鏡５，６）を前後にスライド可能とするものであれば如何なる構成であってもよい。他の構成例としては、利用者により操作可能なスイッチ、電気によって駆動されるモータ、前記スイッチの操作に応じて前記モータへの電気供給状態を変化させる制御部、前記モータによって回転される螺旋棒、前記螺旋棒と螺合し所定位置に固定されるナットにより構成されるものが挙げられる。
【産業上の利用可能性】
【００２０】
以上のように、本発明によれば、大幅なコストアップをすることなく、大幅に利便性の向上した三面鏡を提供することができる。
【図面の簡単な説明】
【００２１】
【図１】図１は、本発明の実施例１に係る三面鏡の構造を示す斜視図である。
【図２】図２は、本発明の実施例１に係る三面鏡の構造を示す上面図である。
【図３】図３は、本発明の実施例２に係る電気的駆動手段の構成例を示す図である。
【符号の説明】
【００２２】
１  三面鏡
２  洗面台
３  キャビネット部
４  主鏡
５，６  袖鏡
１０，１１，１２  枠体
１３，１４  スライドレール
１８  電気的駆動手段
２０  スイッチ
２１  モータ
２２  制御部
２３  歯車
２４  ラック
【図１】
2005137620.tif 000003
【図２】
2005137620.tif 000004
【図３】
2005137620.tif 000005